(57)【要約】【課題】  複数のマイクが集音した音声信号を記録する音声記録再生装置において、発言が行われた時間帯と発言が行われなかった時間帯とを正確に表示することができる音声記録再生装置を提供する。【解決手段】  音声信号を入力する複数の入力部と、時計部と、音声記録部と、再生部と、信号レベル検出部と、信号レベルの積算値の大小に応じた判別データを出力する信号レベル判別部と、判別データを記録するデータ記録部と、一定時間帯毎の信号レベルの積算値の大小に応じた表示を予め定めた円の領域に分割して表示する処理を行う表示処理部と、表示をする表示部と、複数の入力部へ略同時に略同一の信号レベルの音声信号が入力された場合同時同レベル検出信号を出力する同時同レベル信号検出部と、同時同レベル信号検出部から同時同レベル検出信号が出力された場合信号レベルの積算を行わないよう信号レベル判別部を制御する制御部とを備える。【選択図】  図１
2006092642.tif 000002
【特許請求の範囲】
【請求項１】
音声信号を入力する複数の入力部と、時刻情報を出力する時計部と、前記入力部が入力した音声信号を記録する音声記録部と、前記音声記録部に記録された音声信号を再生する再生部と、前記入力部が入力した複数の音声信号の信号レベルを検出する信号レベル検出部と、前記信号レベル検出部が検出した信号レベルに基づいて前記入力部へ入力された一定時間帯毎の音声信号の信号レベルの積算値が予め定めた値以上か否かを算出し当該時間帯での信号レベルの積算値の大小に応じた判別データを出力する信号レベル判別部と、前記時計部が出力する時刻情報と共に前記信号レベル判別部が出力した判別データを記録するデータ記録部と、前記データ記録部が記録した判別データと時刻情報に基づいて一定時間帯毎の信号レベルの積算値の大小に応じた表示を予め定めた円の領域に分割して表示するよう演算処理を行う表示処理部と、前記表示処理部の演算処理に基づいた表示を行う表示部と、前記複数の入力部へ略同時に略同一の信号レベルの音声信号が入力された場合同時同レベル検出信号を出力する同時同レベル信号検出部と、前記同時同レベル信号検出部から同時同レベル検出信号が出力された場合信号レベルの積算を行わないよう前記信号レベル判別部を制御する制御部とを備えることを特徴とする音声記録再生装置。
【請求項２】
請求項１記載の音声記録再生装置において、前記表示処理部は、一定時間帯毎の信号レベルの積算値の大小に応じた表示を６０分毎に予め定めた１つの円の領域毎に表示することを特徴とする音声記録再生装置。
【発明の詳細な説明】
【技術分野】
【０００１】
本発明は、複数のマイクが集音した音声信号を記録する音声記録再生装置に関する。
【背景技術】
【０００２】
従来の音声記録再生装置として、会議などで複数人の会話の音声を記録した後に記録した音声を再生しようとする場合、その会議における発言進行状況を視覚的に表示することにより、目的とする話者の発言内容を瞬時に再生可能とする音声記録再生装置がある（例えば、特許文献１参照）。この音声記録再生装置は、各マイク子機から入力された音声信号を音声ファイルに記憶すると共に、音声信号が入力された時刻を管理ファイルに記憶し、マイク子機から音声信号が入力された時刻を発言進行状況としてディスプレイに表示する。ユーザーは、ディスプレイに表示された発言進行状況から目的の発言内容を指示することによって、目的とする話者の発言内容を瞬時に再生することができる。
【０００３】
しかしながら、特許文献１に開示された構成を用いて会議での音声信号を記憶するためには、それぞれの発言者が発言を行う毎にマイクスイッチを切換える必要があり、その切換作業が煩わしい。
【０００４】
また、マイクから入力された音声信号の信号レベルを検出し、検出した音声レベルの遷移を表示部へ表示することにより、信号レベルの遷移を過去に遡って把握することができる音声レベル表示装置がある（例えば、特許文献２参照）。この音声レベル表示装置は、マイクが集音した音声信号の音声レベルの遷移をメモリに記憶し、音声レベルの波形の時間的変化を表示部へ表示する。使用者は、表示部を目視することによって、マイクが集音した音声レベルの波形の時間的変化を認識することができる。
【０００５】
このように、特許文献１に開示された構成と特許文献２に開示された技術を利用した音声記録再生装置によって、会議などの複数人の会話の音声を記録した場合、音声レベルの表示によって、会議内で発言が行われた時間帯と発言が行われなかった時間帯とを認識することができる。
【０００６】
【特許文献１】特開２００３−１２２３９７号公報
【特許文献２】特開平９−２４７０５３号公報
【発明の開示】
【発明が解決しようとする課題】
【０００７】
会議を行う場所によっては、発言以外の音が外部から聴こえてくることがある。例えば、会議を行う場所に隣接した鉄道の路線を電車が通過し、その電車の走行音が会議場内に聴こえる場合である。
【０００８】
例えば、３人が出席した会議において、第１のマイク、第２のマイク及び第３のマイクをそれぞれの出席者の前に配設し、従来の音声記録再生装置によって会議の発言内容を記録したとする。この会議では、１１時００分から１１時３０分までの３０分間に亘る会議の発言内容が記録され、その会議の内、１１時１０分から１１時１３分までの間と１１時１７分から１１時２０分までの間に発言が行われ、１１時１４分から１１時１６分までの間では発言が行われていなかったとする。また、この会議では、１１時１５分３０秒から１１時１５分３５秒の間に会議場の近くを電車が通過したとする。
【０００９】
この場合、特許文献１に開示された構成に前述したような音声レベル検出部を備えた音声記録再生装置によって会議の発言内容の記録を行うと、会議場の近くを電車が通過した際、電車の通過音を発言者の発言であると音声レベル検出部が誤検出してしまい、会議場の近くを電車が通過した１１時１５分３０秒から１１時１５分３５秒の間にも発言が行われたとして、発言進行状況としてディスプレイに表示されてしまう。このため、ディスプレイを目視した者は、１１時１４分から１１時１６分までの間では発言が行われていなかったにも拘わらず、この間に発言が行われたと誤認してしまう。また、発言内容を再生しようとする者は、１１時１４分から１１時１６分までの間の内容を聴く作業が必要になり、手間が掛かってしまう。
【００１０】
また、特許文献２に開示された構成を備える音声記録再生装置によって、マイクにより集音され入力された音声信号の音声レベルの遷移をメモリに記憶し、音声レベルの波形の時間的変化を表示部へ表示した場合、当該表示を目視した者は、１１時１４分から１１時１６分までの間では発言が行われていなかったにも拘わらず、会議場の近くを電車が通過した１１時１５分３０秒〜１１時１５分３５秒の間に発言があったと誤認識してしまう。
【００１１】
また、特許文献１に開示された構成を備えた音声記録再生装置は、音声信号の記録を開始した時点から終了した時点までの時間軸を示す時間軸目盛をディスプレイへ表示し、マイクの使用開始時点からの経過時間を水平方向に表示された時間軸目盛に沿って表示する。このため、例えば、６０分間の会議の発言内容の記録を行った場合、会議の開始から終了までの間で発言が行われた割合がどの程度であったかを認識したいと所望しても、水平方向に表示された時間軸目盛に沿って発言進行状況が表示されるため、会議の開始から終了までの間で発言が行われた割合を容易に認識することが困難となる。
【００１２】
本発明は、複数のマイクが集音した音声信号を記録する音声記録再生装置において、発言が行われた時間帯と発言が行われなかった時間帯とを正確に表示することができる音声記録再生装置を提供することを目的とする。
【課題を解決するための手段】
【００１３】
本願の請求項１記載の発明は、音声記録再生装置において、音声信号を入力する複数の入力部と、時刻情報を出力する時計部と、前記入力部が入力した音声信号を記録する音声記録部と、前記音声記録部に記録された音声信号を再生する再生部と、前記入力部が入力した複数の音声信号の信号レベルを検出する信号レベル検出部と、前記信号レベル検出部が検出した信号レベルに基づいて前記入力部へ入力された一定時間帯毎の音声信号の信号レベルの積算値が予め定めた値以上か否かを算出し当該時間帯での信号レベルの積算値の大小に応じた判別データを出力する信号レベル判別部と、前記時計部が出力する時刻情報と共に前記信号レベル判別部が出力した判別データを記録するデータ記録部と、前記データ記録部が記録した判別データと時刻情報に基づいて一定時間帯毎の信号レベルの積算値の大小に応じた表示を予め定めた円の領域に分割して表示するよう演算処理を行う表示処理部と、前記表示処理部の演算処理に基づいた表示を行う表示部と、前記複数の入力部へ略同時に略同一の信号レベルの音声信号が入力された場合同時同レベル検出信号を出力する同時同レベル信号検出部と、前記同時同レベル信号検出部から同時同レベル検出信号が出力された場合信号レベルの積算を行わないよう前記信号レベル判別部を制御する制御部とを備えることを特徴とする。
【００１４】
本願の請求項１記載の発明は、請求項１記載の音声記録再生装置において、前記表示処理部は、一定時間帯毎の信号レベルの積算値の大小に応じた表示を６０分毎に予め定めた１つの円の領域毎に表示することを特徴とする。
【発明の効果】
【００１５】
本発明の音声記録再生装置によれば、複数のマイクが集音した音声信号を記録する音声記録再生装置において、発言が行われた時間帯と発言が行われなかった時間帯とを正確に表示することができる音声記録再生装置を提供することができる。
【００１６】
また、本発明の音声記録再生装置によれば、音声信号の記録を開始してから終了までの間で発言が行われた割合がどの程度であったかを容易に認識することができる。
【００１７】
また、本発明の音声記録再生装置によれば、音声信号の記録を開始してからの経過時間に伴う発言の状況を、アナログ時計を目視するのと同様の感覚で容易に認識することができる。
【発明を実施するための最良の形態】
【００１８】
以下、本発明の実施の形態を図面に基づいて説明する。
図１は、本発明の音声記録再生装置の一実施例を示すブロック図である。
音声記録再生装置２０は、第１の入力部１、第２の入力部２、第３の入力部３、信号処理部４、時計部５、制御部６、音声記録部７、信号レベル検出部８、信号レベル判別部９、データ記録部１０、再生部１１、出力部１２、操作部１３、表示部１４、同時同レベル信号検出部１６及び表示処理部１７を備える。第１の入力部１、第２の入力部２及び第３の入力部３は、それぞれ第１のマイク２１、第２のマイク２２及び第３のマイク２３に接続されている。出力部１２は、スピーカ１５に接続されている。
【００１９】
第１の入力部１、第２の入力部２及び第３の入力部３は、それぞれ第１のマイク２１、第２のマイク２２及び第３のマイク２３が集音した音声信号の出力を受け、信号処理部４へ出力する。信号処理部４は、第１の入力部１、第２の入力部２及び第３の入力部３へ入力された音声信号をそれぞれ個別の音声信号として信号レベル検出部へ出力し、また、それぞれの入力部からの音声信号を１の音声信号に合成する処理を行ない、当該合成した音声信号を制御部６へ出力する。
【００２０】
操作部１３は、音声信号の記録を開始する記録開始指示信号及び音声信号の記録の停止を指示する記録停止指示信号を出力する。制御部６は、操作部１３から記録開始指示信号が出力されると、信号処理部４から出力された音声信号を音声記録部７へ記録し、操作部１３から記録停止指示信号が出力されると、音声記録部７への音声信号の記録を停止するよう制御する。音声記録部７は、ハードディスクドライブ（Hard Disk Drive：ＨＤＤ）からなり、制御部６の制御により、信号処理部４から出力された音声信号を記録する。
【００２１】
信号レベル検出部８は、信号処理部４を介して第１の入力部１、第２の入力部２及び第３の入力部３から入力された音声信号のそれぞれの信号レベルを検出する。時計部５は、時刻の情報を出力する。信号レベル判別部９は、信号レベル検出部８が検出した音声信号の信号レベルに基づいて、予め定めた時間、例えば、５分間に検出した信号レベルの積算値を算出する。信号レベル判別部９は、信号レベルの積算値が予め定めた第１の値未満である場合、第１の判別データを出力する。信号レベル判別部９は、信号レベルの積算値が予め定めた第１の値以上で第２の値未満である場合、第２の判別データを出力する。信号レベル判別部９は、信号レベルの積算値が予め定めた第２の値以上である場合、第３の判別データを出力する。制御部６は、信号レベル判別部９が出力した第１の判別データ〜第３の判別データを５分毎にデータ記録部１０が記録するよう制御する。
【００２２】
同時同レベル信号検出部１６は、時計部５が出力した時刻の情報と、信号レベル検出部８が検出する第１の入力部１、第２の入力部２及び第３の入力部３から入力されるそれぞれの音声信号の信号レベルに基づいて、それぞれの入力部から入力される音声信号が略同時に略同一の信号レベル、例えば、それぞれの信号レベルの差が５ｄＢ以内の音声信号が５秒以上継続して入力されたか否かを検出する。同時同レベル信号検出部１６は、第１の入力部１、第２の入力部２及び第３の入力部３へ入力されたそれぞれの音声信号の信号レベルの差が５ｄＢ以内である音声信号が５秒以上継続して入力された場合、同時同レベル検出信号を制御部６へ出力する。
【００２３】
制御部６は、同時同レベル信号検出部１６から同時同レベル検出信号が出力された場合、その時間に入力された音声信号の信号レベルを積算せず、同時同レベル信号検出部１６から同時同レベル検出信号が出力されなかった時間の信号レベルの積算値のみを算出するよう信号レベル判別部９を制御する。例えば、１１時２０分から１１時２５分の時間帯の内、１１時２０分３０秒から１１時２０分３５秒の時間に同時同レベル信号検出部１６から同時同レベル検出信号が出力され、１１時２０分３０秒から１１時２０分３５秒の時間を除いた時間の信号レベルの積算値が予め定めた第１の値以上で第２の値未満である場合、制御部６は、１１時２０分３０秒から１１時２０分３５秒の時間に入力された音声信号の信号レベルを積算せず、同時同レベル信号検出部１６から同時同レベル検出信号が出力されなかった時間、すなわち、１１時２０分から１１時２５分の時間帯の内、１１時２０分３０秒から１１時２０分３５秒の時間を除いた時間に入力された音声信号の信号レベルの積算値を算出するよう信号レベル判別部９を制御する。この場合、信号レベル判別部９は、制御部６の制御に基づいて、第１の判別データを出力する。
【００２４】
制御部６は、ある時間帯において、同時同レベル信号検出部１６から同時同レベル検出信号が出力された時間を除いた時間に入力された音声信号の信号レベルの積算値が予め定めた第１の値未満である場合、当該時間帯の判別データを第４の判別データとして出力するよう信号レベル判別部９を制御する。
【００２５】
データ記録部１０は、ハードディスクドライブを備え、時計部５が出力した時刻情報に基づいて、音声信号の記録を開始した記録開始時刻データ、音声信号の記録を停止した記録終了時刻データ及び記録開始時刻と記録終了時刻から算出した記録時間データを記録する。データ記録部１０は、制御部６の制御により、信号レベル判別部９が出力した第１の判別データ〜第４の判別データを記録する。
【００２６】
表示処理部１７は、データ記録部１０に記録されている記録開始時刻データ、記録終了時刻データ及び記録時間データと第１の判別データ、第２の判別データ及び第３の判別データに基づいて、表示部１４が音声信号の記録開始時刻、記録終了時刻及び記録時間を表示するようデータを処理する。
【００２７】
表示処理部１７は、データ記録部１０に記録されている第１の判別データ、第２の判別データ及び第３の判別データに基づいて、表示部１４が音声信号の記録を開始した時点から記録を終了した時点までの５分毎の発言の状況を６０分毎に予め定めた円の領域に分割して表示するよう処理する。例えば、音声信号の記録が６０分である場合は、１つの円をそれぞれ３０°の扇形から成る１２個の領域に分割し、分割したそれぞれの領域へ５分毎の発言の状況を時計回りに順に表示するよう処理する。また、音声信号の記録が９０分である場合は、音声信号の記録の開始から６０分間までを１つの円をそれぞれ３０°の扇形から成る１２個の領域に分割し、分割したそれぞれの領域へ５分毎の発言の状況を時計回りに順に表示すると共に、残りの３０分間を他の円の１８０°の領域をそれぞれ３０°の扇形から成る６個の領域に分割し、６個の扇形からなる半円に分割したそれぞれの領域へ５分毎の発言の状況を時計回りに順に表示する。
【００２８】
本実施例の音声記録再生装置は、音声信号の記録を開始した時点から記録を終了した時点までの５分毎の発言の状況を分割して表示する構成としたが、５分毎の発言の状況を分割して表示することに限定されず、例えば、１分毎または１０分毎の発言の状況を分割して表示する構成としても良い。また、本実施例の音声記録再生装置は、音声信号の記録を開始した発言の状況を６０分毎に予め定めた円の領域に分割して表示する構成としたが、６０分毎に１つの円の領域に表示することに限定されず、例えば、音声信号の記録の開始から終了までを１つの円の領域に表示する構成としても良い。
【００２９】
表示部１４は、データ記録部１０に記録されている記録開始時刻データ、記録終了時刻データ及び記録時間データと第１の判別データ〜第４の判別データに基づいた表示をする。
【００３０】
図２は、表示部１４による表示状態を示す模式図で、図２（ａ）は記録時間が４５分の会議内容を記録した場合を示す図、図２（ｂ）は記録時間が１時間３０分（９０分）の会議内容を記録した場合を示す図である。
【００３１】
図２（ａ）及び図２（ｂ）に示すように、表示部１４は、表示処理部１７の処理に基づいて、記録開始時刻表示１４１、記録終了時刻表示１４２及び記録時間表示１４３を所定の位置に表示する。表示部１４は、記録状況表示窓１４４を備える。
【００３２】
記録状況表示窓１４４には、記録の開始から停止までの発言を６０分毎に１つの円で表示する時間帯表示部５００と、再生指示カーソル１４６を備える。時間帯表示部５００は、上端に目印６０を備え、その円の領域内にそれぞれ３０°の扇形を成す１２個の状況表示エリア１４５を備える。時間帯表示部５００は、表示処理部１７の処理に基づいて、目印６０を基点としたそれぞれの状況表示エリア１４５へ５分毎の発言の状況を時計回りに順に表示する。例えば、図２（ａ）に示すように、記録時間が４５分の場合は、時間帯表示部５００の領域内に目印６０を基点として時計回りに表示された状況表示エリア１４５ａ〜１４５ｉの９個の状況表示エリアを表示し、それぞれの状況表示エリアへ５分毎の発言の状況を時計回りに順に表示する。また、図２（ｂ）に示すように、記録時間が１時間３０分（９０分）の場合は、時間帯表示部５００ａの領域内に目印６０を基点として時計回りに表示された状況表示エリア１４５ａ〜１４５ｍの１２個の状況表示エリアを表示し、それぞれの状況表示エリアへ記録を開始してから６０分間までの５分毎の発言の状況を時計回りに順に表示し、時間帯表示部５００ｂの領域内に目印６０を基点として時計回りに表示された状況表示エリア１４５ｎ〜１４５ｔの６個の状況表示エリアを表示し、それぞれの状況表示エリアへ残りの３０分間の５分毎の発言の状況を時計回りに順に表示する。
【００３３】
時間帯表示部５００は、分割したそれぞれの状況表示エリアに非発言表示５０、第１の発言表示５１及び第２の発言表示５２を表示する。即ち、データ記録部１０に記録された５分毎の判別データが第１の判別データの場合は、該当する状況表示エリアに、例えば、白色の非発言表示５０を表示し、第２の判別データの場合は、該当する状況表示エリアに、例えば、青色の第１の発言表示５１を表示し、第３の判別データの場合は、該当する状況表示エリアに、例えば、赤色の第２の発言表示５２を表示する。
【００３４】
操作部１３は、再生指示カーソル１４６の移動を指示する移動指示信号と音声信号の再生を開始する再生開始指示信号を出力する。再生指示カーソル１４６は、操作部１３の操作により、時間帯表示部５００の外周に沿って自在に移動する。
【００３５】
制御部６は、操作部１３から再生開始指示信号が出力されると、再生指示カーソル１４６が近接した状況表示エリアに該当する時間帯の音声信号を再生するよう再生部１１を制御する。再生部１１は、制御部６００の制御により、音声記録部７に記録された音声信号の中から再生指示カーソル１４６に近接した状況表示エリアに該当する時間帯の音声信号を再生する。出力部１２は、再生部１１により再生された音声信号をスピーカ１５へ出力する。スピーカ１５は、再生部１１により出力された音声信号を音声として出力する。
【００３６】
図３は、音声記録再生装置２０によって、鉄道の路線に隣接した場所での会議内容を記録した場合の表示部１４による表示状態を示す模式図である。例えば、３人の者が出席した会議において、第１のマイク２１、第２のマイク２２及び第３のマイク２３をそれぞれの出席者の前に配設した状態で音声記録再生装置２０によって会議の発言内容を記録したとする。また、第１のマイク２１、第２のマイク２２及び第３のマイク２３は、それぞれ離れた場所に配設され、第１の入力部１、第２の入力部２及び第３の入力部３は、発言者からそれぞれのマイクまでの距離が近くなるにつれて高い信号レベルで音声信号を入力するものとする。
【００３７】
この会議では、１０時００分から１０時４５分までの４５分間に亘る会議の発言内容が記録され、１０時１５分３０秒から１０時１５分３５秒までの時間と１０時３５分３０秒から１０時３５分３５秒までの時間に会議場の近くを電車が通過したとする。また、この会議では、１０時０５分から１０時１０分までの時間帯に発言が行われ、１０時２５分から１０時３０分までの時間帯に更に活発な発言が行われた。また、この会議では、１０時３５分から１０時４０分までの時間帯の内、会議場の近くを電車が通過していない１０時３５分４０秒から１０時３８分５０秒までの時間に発言が行われた。また、それ以外の時間帯では発言が行われていなかった。
【００３８】
会議を行っている途中で１０時１５分３０秒から１０時１５分３５秒までの間に会議場の近くを電車が通過し、その音が会議場に届いた場合、第１の入力部１、第２の入力部２及び第３の入力部３には、電車の走行音が略同時に略同一の信号レベルで入力される。同時同レベル信号検出部１６は、信号レベル検出部８が検出する音声信号の信号レベルに基づいて、第１の入力部１、第２の入力部２及び第３の入力部３へ略同一の信号レベルの音声信号が略同時に入力されたことを検出し、外部検出信号を制御部６へ出力する。制御部６は、１０時１５分３０秒から１０時１５分３５秒の時間に入力された音声信号の信号レベルを積算しないよう信号レベル判別部９を制御する。制御部６は、１０時１５分から１０時２０分までの時間帯において、同時同レベル信号検出部１６から外部検出信号が出力された１０時１５分３０秒から１０時１５分３５秒までの時間を除いた時間に入力された音声信号の信号レベルの積算値を算出するよう信号レベル判別部９を制御する。信号レベル判別部９は、制御部６の制御に基づいて、１０時１５分から１０時２０分までの時間帯の信号レベルの積算値が予め定めた第１の値未満であると算出する。制御部６は、１０時１５分から１０時２０分までの時間帯において、同時同レベル信号検出部１６から同時同レベル検出信号が出力された時間を除いた時間に入力された音声信号の信号レベルの積算値が予め定めた第１の値未満である場合、当該時間帯の判別データを第４の判別データとして出力するよう信号レベル判別部９を制御する。信号レベル判別部９は、制御部６の制御により、第４の判別データを出力する。
【００３９】
会議を行っている途中で１０時３５分３０秒から１０時３５分３５秒までの間に会議場の近くを電車が通過し、その音が会議場に届いた場合、同時同レベル信号検出部１６は、外部検出信号を制御部６へ出力する。制御部６は、１０時３５分３０秒から１０時３５分３５秒の間に入力された音声信号の信号レベルを積算しないよう信号レベル判別部９を制御する。制御部６は、同時同レベル信号検出部１６から同時同レベル検出信号が出力された時間以外の時間に入力された音声信号の信号レベルの積算値を算出するよう信号レベル判別部９を制御する。信号レベル判別部９は、制御部６の制御に基づいて、１０時３５分４０秒から１０時３８分５０秒までの時間に行われた発言によって入力された音声信号の信号レベルの積算値を算出し、算出した積算値が予め定めた第１の値以上で第２の値未満であるとして、第１の判別データを出力する。
【００４０】
時間帯表示部５００は、分割したそれぞれの状況表示エリアに非発言表示５０、第１の発言表示５１、第２の発言表示５２及び外部入力表示５３を表示する。時間帯表示部５００は、データ記録部１０に記録された５分毎の判別データが第４の判別データの場合は、該当する状況表示エリアに、例えば、黄色の外部入力表示５３を表示する。
【００４１】
図３に示すように、１０時０５分から１０時１０分までの時間帯と１０時３５分から１０時４０分までの時間帯を示す状況表示エリア１４５ｂ及び状況表示エリア１４５ｈには第１の発言表示５１が表示され、１０時２５分から１０時３０分までの時間帯を示す状況表示エリア１４５ｆには第２の発言表示５２が表示される。また、１０時１５分から１０時２０分までの時間帯を示す状況表示エリア１４５ｄには外部入力表示５３が表示される。また、それ以外の状況表示エリアには、非発言表示５０が表示される。 
【００４２】
以上の構成により、鉄道の路線に隣接した会議場で行われ、会議場の近くを電車が通過し、その音が会議場に届く状況で行われた会議において、１０時００分から１０時４５分までの発言を音声記録再生装置２０によって記録した場合、１０時１５分から１０時２０分までの時間帯においては、発言が行われていなかったが、１０時１５分３０秒から１０時１５分３５秒までの間に会議場の近くを電車が通過したことにより、１０時１５分から１０時２０分までの時間帯を示す状況表示エリア１４５ｄには外部入力表示５３が表示される。また、１０時３５分から１０時４０分までの時間帯においては、１０時３５分３０秒から１０時３５分３５秒までの時間に会議場の近くを電車が通過し、１０時３５分４０秒から１０時３８分５０秒までの時間に発言が行われたことにより、１０時３５分から１０時４０分までの時間帯を示す状況表示エリア１４５ｈには第１の発言表示５１が表示される。
【００４３】
このことにより、１０時０５分から１０時１０分までの時間帯、１０時２５分から１０時３０分までの時間帯及び１０時３５分から１０時４０分までの時間帯以外の時間帯では発言が行われていなかったにも拘わらず、１０時１５分３０秒と１０時３５分３０秒の時刻に会議場の近くを電車が通過したことにより、この時間帯の信号レベルの積算値が大きくなり、状況表示エリア１４５ｄと状況表示エリア１４５ｈに第２の発言表示５２が表示されてしまうことを防止することができる。
【００４４】
記録状況表示窓１４４を目視した者は、１０時０５分から１０時１０分までの時間帯と１０時３５分から１０時４０分までの時間帯では発言が行われ、１０時２５分から１０時３０分までの時間帯では１０時０５分から１０時１０分までの時間帯及び１０時３５分から１０時４０分までの時間帯より更に活発な発言が行われ、１０時１５分から１０時２０分までの時間帯では外部からの音が入力され、それ以外での時間帯では発言がなかったことを正確に認識することができる。会議の発言内容を聴こうとする者は、状況表示エリア１４５ｂ、状況表示エリア１４５ｆ及び状況表示エリア１４５ｈにそれぞれ再生指示カーソル１４６を近接させ、それぞれの時間帯に記録された音声信号の内容のみを再生させることにより、会議で発言された内容を認識することができる。
【００４５】
一般に、会議に出席した者は、それぞれ個別に発言を行うか、または２人が同時に発言を行う場合が殆んどである。よって、出席者の発言が第１の入力部１、第２の入力部２及び第３の入力部３からそれぞれの信号レベルの差が５ｄＢ以内の音声信号が５秒以上継続して入力されることは稀である。これに対して、会議を行っている場所の外からの音は、第１のマイク２１、第２のマイク２２及び第３のマイク２３へ略同時に略同一の信号レベルで入力される。本実施例の音声記録再生装置２０は、第１の入力部１、第２の入力部２及び第３の入力部３からそれぞれの信号レベルの差が５ｄＢ以内の音声信号が５秒以上継続して入力された場合、その時間に検出した音声信号の信号レベルを積算せず、その時間以外の信号レベルの積算値に基づいて状況表示エリア１４５を第１の発言表示５１または第２の発言表示５２として表示をすることにより、外部の騒音等があった時間帯を発言があった時間帯であると誤認識することを防止することができる。
【００４６】
また、本実施例の音声記録再生装置２０は、第１の入力部１、第２の入力部２及び第３の入力部３からそれぞれの信号レベルの差が５ｄＢ以内の音声信号が５秒以上継続して入力された場合のみ、その時間に検出した音声信号の信号レベルを積算しない構成とすることにより、例えば、外部の騒音等の最中に、当該騒音の信号レベルより高い信号レベルで発言が行われていれば、第１のマイク２１、第２のマイク２２及び第３のマイク２３へ入力される音声信号が略同一の信号レベルとならないので、その時間に検出した音声信号の信号レベルを積算し、この信号レベルの積算値に基づいた表示をする。このことから、外部の騒音等と同時に発言があった時間帯を発言がなかった時間帯であると誤認識することを防止することができる。
【００４７】
また、本実施例の音声記録再生装置２０は、ある時間帯において、同時同レベル信号検出部１６から同時同レベル検出信号が出力された時間を除いた時間に入力された音声信号の信号レベルの積算値が予め定めた第１の値未満である場合、その時間帯に該当する状況表示エリア１４５を外部入力表示５３として表示する。これにより、例えば、外部の騒音があった最中に、当該騒音の信号レベルより低い信号レベルで発言が行われた場合でも、記録状況表示窓１４４を目視した者は、この外部入力表示５３に該当する時間帯では、外部の騒音があった最中に、発言があったかもしれないと推測することができる。よって、記録状況表示窓１４４を目視した者が、外部の騒音と同時に発言があった時間帯を発言がなかった時間帯だと断定してしまうことを防止することができる。
【００４８】
本実施例の音声記録再生装置２０は、表示部１４が音声信号の記録を開始した時点から記録を終了した時点までの発言の状況を６０分毎に１つの円から成る時間帯表示部５００のそれぞれの領域に分割して表示することにより、音声信号の記録を開始してから終了までの間で発言が行われた割合がどの程度であったかを容易に認識することができる。例えば、１１時００分から１２時００分までの６０分間に亘る会議の発言内容が記録され、その会議の内、１１時１５分から１１時３０分までの１５分間に発言が行われた場合、１つの円の領域に表示された時間帯表示部５００を目視することにより、会議の開始から終了までの間で発言が行われた割合が２５％程度であったことを容易に認識することができる。
【００４９】
本実施例の音声記録再生装置２０は、表示部１４が音声信号の記録を開始した時点から記録を終了した時点までの５分毎の発言の状況を６０分毎に１つの円から成る時間帯表示部５００のそれぞれの領域に分割して表示することにより、音声信号の記録を開始してからの経過時間に伴う発言の状況を、アナログ時計を目視するのと同様の感覚で容易に認識することができる。つまり、アナログ時計は、５分経過する毎に長針が３０°回転し、長針が１回転（３６０°回転）することによって６０分が経過したことを示し、本実施例の時間帯表示部５００は、５分毎の発言の状況を３０°の扇形から成る１２個の領域に表示し、１つの円の領域に６０分間の発言の状況を表示する。したがって、発言が行われたのが何分間程度であったのかをユーザが認識したいと所望した場合、時間帯表示部５００の表示を目視することによって、発言が行われたのが何分間程度であったのかをアナログ時計を目視するのと同様の感覚で容易に認識することができる。例えば、図３に示すように、４５分間に亘る会議の発言内容が記録された場合、時間帯表示部５００をアナログ時計の表示と同様の感覚で目視することにより、第１の発言表示５１と第２の発言表示５２が表示されている時間帯が合計で４個であることから、発言が行われた時間帯が２０分間程度であったことを容易に認識することができる。また、図２（ｂ）に示すように、１時間３０分（９０分間）に亘る会議の発言内容が記録された場合、時間帯表示部５００ａ及び５００ｂをアナログ時計の表示と同様の感覚で目視することにより、第１の発言表示５１が表示されている状況表示エリア１４５ｂの時間帯から第２の発言表示５２が表示されている状況表示エリア１４５ｓの時間帯までの間が３６０°以上であることから、会議の途中で６０分間以上発言がなかったことを容易に認識することができる。
【００５０】
本実施例の音声記録再生装置２０は、第１の入力部１、第２の入力部２及び第３の入力部３の３つの入力部を備える構成としたが、２つの入力部または４つ以上の入力部を備える構成としても良い。
【図面の簡単な説明】
【００５１】
【図１】本発明の音声記録再生装置の一実施例を示すブロック図。
【図２】表示部１４による表示状態を示す模式図で、図２（ａ）は記録時間が４５分の会議内容を記録した場合を示す図、図２（ｂ）は記録時間が１時間３０分（９０分）の会議内容を記録した場合を示す図。
【図３】音声記録再生装置２０によって、鉄道の路線に隣接した場所での会議内容を記録した場合の表示部１４による表示状態を示す模式図。
【符号の説明】
【００５２】
１  第１の入力部、２  第２の入力部、３  第３の入力部、４  信号処理部、
５  時計部、６  制御部、７  音声記録部、８  信号レベル検出部、
９  信号レベル判別部、１０  データ記録部、１１  再生部、１２  出力部、
１３  操作部、１４  表示部、１５  スピーカ、１６  同時同レベル信号検出部、
１７  表示処理部、２０  音声記録再生装置、
２１  第１のマイク、２２  第２のマイク、２３  第３のマイク、
１４１  記録開始時刻表示、１４２  記録終了時刻表示、１４３  記録時間表示、
１４４  記録状況表示窓、１４５  状況表示エリア、１４６  再生指示カーソル、
５０  非発言表示、５１  第１の発言表示、５２  第２の発言表示、５３  外部入力表示、
６０  目印、５００  時間帯表示部
【図１】
2006092642.tif 000003
【図２】
2006092642.tif 000004
【図３】
2006092642.tif 000005